(57)【要約】【課題】伝送路のトラフィックを軽減し、プロジェクタに不要な画面を表示させることのない画像伝送システムを提供する。【解決手段】画像生成装置であるＰＣ１００と画像投影装置であるプロジェクタ２００とから構成され、ＰＣ１００は、表示画面を生成する表示画面生成部１２２と、表示画面を構成するレイヤーを、プロジェクタ２００に送信するレイヤーと、送信しないレイヤーとに選別し、送信するレイヤーとされたレイヤーをキャプチャするレイヤーキャプチャ部１２３と、キャプチャされたレイヤーをプロジェクタ２００に送信するＰＣ通信部１２４とを備え、プロジェクタ２００は、ＰＣ１００から送信されるレイヤーを受信するプロジェクタ通信部２２１と、受信したレイヤーをスクリーンに投影する表示出力部２２２とを備える。【選択図】        図３
2005257948.tif 000002
【特許請求の範囲】
【請求項１】
画像を生成する画像生成装置と、前記画像生成装置から伝送された画像を投影する画像投影装置とから構成される画像伝送システムであって、
前記画像生成装置は、
画像を生成する画像生成手段と、
前記画像を構成するレイヤーを、前記画像投影装置に送信するレイヤーと、送信しないレイヤーとに選別する選別手段と、
前記選別された送信レイヤーを前記画像投影装置に送信する送信手段とを備え、
前記画像投影装置は、
前記画像生成装置から送信されるレイヤーを受信する受信手段と、
前記受信したレイヤーを投影する投影手段とを備える
ことを特徴とする画像伝送システム。
【請求項２】
前記画像生成装置は、さらに、
ユーザから前記レイヤーの送信に関する設定を受け付ける設定取得手段を備え、
前記キャプチャ手段は、前記設定に基づいて、前記画像を構成するレイヤーを、前記画像投影装置に送信するレイヤーと、送信しないレイヤーとに選別する
ことを特徴とする請求項１記載の画像伝送システム。
【請求項３】
前記画像生成装置は、さらに、
前記生成した画像を表示する表示手段と、
ユーザから前記表示手段に表示されるＧＵＩ(Graphical User Interface)の操作を受け付ける操作入力手段と、
前記操作入力手段における前記ＧＵＩの移動操作を検出し、前記ＧＵＩの座標位置を算出する移動検出手段とを備え、
前記送信手段は、前記座標位置を前記画像投影装置に送信し、
前記画像投影装置において、前記受信手段は、前記座標位置を受信し、
前記画像投影装置は、さらに、
前記受信した座標位置に新たなＧＵＩを描画する描画手段を備え、
前記投影手段は、前記描画されたＧＵＩを投影する
ことを特徴とする請求項１または２記載の画像伝送システム。
【請求項４】
前記描画手段は、前記画像生成装置におけるＧＵＩと異なる形状のＧＵＩを描画する
ことを特徴とする請求項３記載の画像伝送システム。
【請求項５】
画像を生成する画像生成装置から前記画像を投影する画像投影装置に前記画像を伝送する画像伝送方法であって、
前記画像生成装置において、
画像を生成する画像生成ステップと、
前記画像を構成するレイヤーを、前記画像投影装置に送信するレイヤーと、送信しないレイヤーとに選別する選別ステップと、
前記選別された送信レイヤーを前記画像投影装置に送信する送信ステップとを含み、
前記画像投影装置において、
前記画像生成装置から送信されるレイヤーを受信する受信ステップと、
前記受信したレイヤーを投影する投影ステップとを含む
ことを特徴とする画像伝送方法。
【請求項６】
画像を生成する画像生成装置と、前記画像生成装置から伝送された画像を投影する画像投影装置とから構成される画像伝送システムにおける画像生成装置であって、
画像を生成する画像生成手段と、
前記画像を構成するレイヤーを、前記画像投影装置に送信するレイヤーと、送信しないレイヤーとに選別する選別手段と、
前記選別された送信レイヤーを前記画像投影装置に送信する送信手段とを備える
ことを特徴とする画像生成装置。
【請求項７】
画像を生成する画像生成装置と、前記画像生成装置から伝送された画像を投影する画像投影装置とから構成される画像伝送システムにおける画像生成装置のためのプログラムであって、
画像を生成する画像生成ステップと、
前記画像を構成するレイヤーを、前記画像投影装置に送信するレイヤーと、送信しないレイヤーとに選別する選別ステップと、
前記選別された送信レイヤーを前記画像投影装置に送信する送信ステップとをコンピュータに実行させることを特徴とするプログラム。
【請求項８】
画像を生成する画像生成装置と、前記画像生成装置から伝送された画像を投影する画像投影装置とから構成される画像伝送システムにおける画像投影装置であって、
前記画像生成装置からＧＵＩの座標位置を受信する受信手段と、
前記受信した座標位置に新たなＧＵＩを描画する描画手段と、
前記描画されたＧＵＩを投影する投影手段とを備える
ことを特徴とする画像投影装置。
【請求項９】
画像を生成する画像生成装置と、前記画像生成装置から伝送された画像を投影する画像投影装置とから構成される画像伝送システムにおける画像投影装置のためのプログラムであって、
前記画像生成装置からＧＵＩの座標位置を受信する受信ステップと、
前記受信した座標位置に前記ＧＵＩを描画する描画ステップと、
前記描画されたＧＵＩを投影する投影ステップとをコンピュータに実行させる
ことを特徴とするプログラム。
【発明の詳細な説明】
【技術分野】
【０００１】
本発明は、パーソナルコンピュータ（以下、「ＰＣ」と表記する。）等の画像生成装置からプロジェクタ等の画像投影装置に送信される画像の伝送システムおよび伝送方法に関する。
【背景技術】
【０００２】
近年、ＰＣから画像信号を受信して、ＰＣの画面をスクリーン等に投影させるプロジェクタの普及が進んでいる。このプロジェクタは、ＰＣで編集したプレゼンテーション資料をスクリーン上に投影させることにより、伝えたい内容を視覚的に表現することができるので、会議や研修会等で多用されている。
【０００３】
通常、ＰＣとプロジェクタとは、ＲＧＢケーブルを介したアナログ接続により画像信号の受け渡しを行なっている。しかし、ＰＣとプロジェクタとを接続する手間がかかり、特に投影させたいデータが複数のＰＣに分かれて保存されている場合等には、その都度ＰＣとプロジェクタとの接続をやり直さなければならない。そこで、プロジェクタの使い勝手の改善を目的として、赤外線や無線ＬＡＮ等を介してＰＣからプロジェクタに画像信号を伝送するワイヤレス映像伝送装置が提案されており、また、複数台のＰＣからの画像信号を１台のプロジェクタに同時表示させるワイヤレス伝送システムも開示されている（例えば、特許文献１参照。）。
【特許文献１】特開２００３−３３０４３６号公報
【発明の開示】
【発明が解決しようとする課題】
【０００４】
しかしながら、上記のワイヤレス伝送システムでは、ＰＣの画像信号をそのままプロジェクタに送信するので、伝送路のトラフィックが大きくなるという問題がある。特に、現在の無線ＬＡＮにおける主要な規格（ＩＥＥＥ８０２．１１ｂ）の伝送レートは、およそ１１Ｍｂｐｓであり、今後の展開が期待されている規格（ＩＥＥＥ８０２．１１ｇ等）の伝送レートでも、およそ５４Ｍｂｐｓであるため、ＰＣとプロジェクタ間における伝送路のトラフィックは可能な限り軽減されていることが望まれている。
【０００５】
また、上記のワイヤレス伝送システムでは、ＰＣの画像信号をそのままプロジェクタに送信するので、スクリーン上に投影させたくない部分が画面中に含まれていてもスクリーン上に表示されてしまうという問題もある。
【０００６】
さらに、プレゼンテーションでは説明中の箇所を指し示すためにマウスカーソルを動かすことが行なわれるが、上記従来のワイヤレス伝送システムでは、マウスカーソルの操作という僅かな画面の変化でもＰＣの画像信号をそのまま全てプロジェクタに送信するので、プロジェクタ側でのマウスカーソルの応答が悪い、すなわち、マウスカーソルの動きが鈍いという問題もある。
【０００７】
そこで、本発明は、上記問題点に鑑みなされたものであり、伝送路のトラフィックを軽減し、プロジェクタに不要な画面を表示させることのない画像伝送システムを提供することを目的とする。
【０００８】
また、僅かな画面変化への応答性に優れた画像伝送システムを提供することも目的とする。
【課題を解決するための手段】
【０００９】
上記目的を達成するために、本発明に係る画像伝送システムは、  画像を生成する画像生成装置と、前記画像生成装置から伝送された画像を投影する画像投影装置とから構成される画像伝送システムであって、前記画像生成装置は、画像を生成する画像生成手段と、前記画像を構成するレイヤーを、前記画像投影装置に送信するレイヤーと、送信しないレイヤーとに選別する選別手段と、前記選別された送信レイヤーを前記画像投影装置に送信する送信手段とを備え、前記画像投影装置は、前記画像生成装置から送信されるレイヤーを受信する受信手段と、前記受信したレイヤーを投影する投影手段とを備えることを特徴とする。これによって、ＰＣ側において、プロジェクタで表示不要なレイヤーを選別して、プロジェクタに画面を送信するので、ＰＣおよびプロジェクタ間における伝送路のトラフィックを軽減することができる。また、表示不要なレイヤーを送信しないので、プロジェクタの投影する画面では、必要な情報の視認性が高まるという効果も得られる。
【００１０】
ここで、前記画像生成装置は、さらに、ユーザから前記レイヤーの送信に関する設定を受け付ける設定取得手段を備え、前記キャプチャ手段は、前記設定に基づいて、前記画像を構成するレイヤーを、前記画像投影装置に送信するレイヤーと、送信しないレイヤーとに選別するとしてもよい。これによって、ユーザの設定に応じて送信するレイヤーを選別するので、ユーザがプロジェクタ側で投影させたくない部分を表示させないようにすることができる。
【００１１】
また、前記画像生成装置は、さらに、前記生成した画像を表示する表示手段と、ユーザから前記表示手段に表示されるＧＵＩ(Graphical User Interface)の操作を受け付ける操作入力手段と、前記操作入力手段における前記ＧＵＩの移動操作を検出し、前記ＧＵＩの座標位置を算出する移動検出手段とを備え、前記送信手段は、前記移動後における座標位置を前記画像投影装置に送信し、前記画像投影装置において、前記受信手段は、前記座標位置を受信し、前記画像投影装置は、さらに、前記受信した座標位置に新たなＧＵＩを描画する描画手段を備え、前記投影手段は、前記描画されたＧＵＩを投影するのが好ましい。これによって、マウスカーソルの移動を検出した場合には、マウスカーソルの移動後の座標位置のみをプロジェクタへ送信するので、ＰＣおよびプロジェクタ間の伝送量が低減され、僅かな画面変化への応答性にも優れた画像伝送システムが実現される。
【００１２】
なお、本発明は、このような画像伝送システムとして実現することができるだけでなく、このような画像伝送システムを構成する各装置が備える特徴的な手段をステップとする画像伝送システム方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのは言うまでもない。
【発明の効果】
【００１３】
以上説明したように、本発明に係る画像伝送システムによれば、ＰＣが、画面をレイヤー単位でキャプチャし、プロジェクタ側で表示不要なレイヤーをプロジェクタに送信しないので、伝送量を少なくすることができる。また、これにより表示不要なレイヤーがプロジェクタ側で表示されないので、本来表示すべき情報が隠されたり、ユーザが表示させたくないレイヤーが表示されたりすることを防ぐことができる。
【００１４】
また、本発明に係る画像伝送システムによれば、ＰＣが、マウスカーソルの移動を検出した場合には、マウスカーソルの移動後の座標位置のみをプロジェクタへ送信するので、ＰＣおよびプロジェクタ間の伝送量を低減することができ、かつ、マウスカーソルの移動という僅かな画面の変化への応答性を向上させることも可能となる。
【発明を実施するための最良の形態】
【００１５】
以下、本発明を実施するための最良の形態について詳細に説明する。
（実施の形態１）
まず、本発明の実施の形態１に係る画像伝送システムについて説明する。
【００１６】
図１は、本実施の形態１に係る画像伝送システムの外観構成を示す図である。
この画像伝送システムは、ＰＣ１００からＰＣ１００の表示装置に表示されている画面をプロジェクタ２００に送信し、プロジェクタ２００でスクリーン２０に受信した画面を投影させるシステムであり、ＰＣ１００は、無線ＬＡＮチップが格納された無線ＬＡＮカード１０が取り付けられており、これによりネットワークを介してプロジェクタ２００に画像信号を送信する。
【００１７】
図２は、本実施の形態１に係る画像伝送システムを構成するＰＣ１００およびプロジェクタ２００のハードウェア構成を示すブロック図である。
図２に示すように、ＰＣ１００は、ＣＰＵ１０１、メインメモリ１０２、記憶装置１０３、グラフィックスチップ１０４、ＶＲＡＭ１０５、ディスプレイ１１０に出力する出力ＩＦ１０６、キーボード１１１やマウス１１２等の入力装置からユーザの操作に基づく指示信号を取得するユーザＩＦ１０７、および、ＬＡＮ等を経由してプロジェクタ２００やサーバ等と通信するためのインターフェースであるネットワークＩＦ１０８を備える。
【００１８】
プロジェクタ２００は、ＣＰＵ２０１、メインメモリ２０２、記憶装置２０３、グラフィックスチップ２０４、リサイズＬＳＩ２０５、ＶＲＡＭ２０６、ネットワークＩＦ２０７および出力装置２０８を備える。
【００１９】
図３は、本実施の形態１に係る画像伝送システムを構成するＰＣ１００およびプロジェクタ２００の機能的な構成を示すブロック図である。
図３に示すように、ＰＣ１００は、制御部１２１、表示画面生成部１２２、レイヤーキャプチャ部１２３、ＰＣ通信部１２４および表示出力部１２５を機能的な構成要素として備え、プロジェクタ２００は、プロジェクタ通信部２２１と表示出力部２２２とを機能的な構成要素として備える。
【００２０】
制御部１２１は、ＰＣ１００を構成する各部を制御する処理部であり、ＣＰＵ１０１やメインメモリ１０２によって実現され、例えば、表示画面生成部１２２に画面生成指示を出力したり、レイヤーキャプチャ部１２３に画面の構成単位であるレイヤーのキャプチャ指示を出力したりする。
【００２１】
表示画面生成部１２２は、制御部１２１から画面生成指示を取得して、ディスプレイ等の表示装置に出力する画面を生成する処理部であり、グラフィックスチップ１０４やＶＲＡＭ１０５等によって実現される。
【００２２】
レイヤーキャプチャ部１２３は、制御部１２１からキャプチャ指示を取得して、表示画面生成部１２２が生成した画面を、レイヤーごとにキャプチャする処理部であり、グラフィックスチップ１０４やメインメモリ１０２等によって実現される。また、レイヤーキャプチャ部１２３は、キャプチャした画面をプロジェクタ２００に送信する画面としてＰＣ通信部１２４に出力する。ここで、制御部１２１から出力されるキャプチャ指示には、キャプチャするレイヤーに関する情報のみが含まれており、キャプチャしないレイヤーに関する情報は含まれていない。なお、キャプチャするレイヤーおよびキャプチャしないレイヤーについては、ソフトウェアプログラムで予め設定されているものに従って、または、ＰＣ１００のユーザによる設定に従って制御部１２１において選別される。
【００２３】
ＰＣ通信部１２４は、レイヤーキャプチャ部１２３から送信画面を取得し、送信画面を圧縮およびパケット化してプロジェクタ２００に送信する処理部であり、ＣＰＵ１０１やネットワークＩＦ１０８等により実現される。
【００２４】
表示出力部１２５は、表示画面生成部１２２が生成した出力画面を取得して、表示装置に出力する処理部であり、出力ＩＦ１０６によって実現される。
プロジェクタ通信部２２１は、ＰＣ通信部１２４から圧縮およびパケット化された送信画面を受信して解凍し、スクリーン等に投影させる画面として表示出力部２２２に出力する処理部であり、ＣＰＵ２０１やネットワークＩＦ２０７等によって実現される。
【００２５】
表示出力部２２２は、プロジェクタ通信部２２１から投影画面を取得してスクリーン上に出力する処理部であり、出力装置２０８等によって実現される。
ここで、レイヤーの構成について図４を用いて説明する。
【００２６】
図４（ａ）は、レイヤーの構成を分離して示す図であり、上位レイヤー１２３ａと下位レイヤー１２３ｂとが示されている。ここで、上位レイヤーａとは、画面表示される際に前面に位置するレイヤーをいい、下位レイヤー１２３ｂとは、背面に位置するレイヤーをいう。
【００２７】
図４（ｂ）は、実際に表示される画面のレイヤー構成を示す図であり、表示画面を構成する表示レイヤー１２３ｃが示されている。この表示レイヤー１２３ｃは、上位レイヤー１２３ａと下位レイヤー１２３ｂとが重ね合されたものである。このようにＰＣ１００のディスプレイ１１０に表示される画面は、複数のレイヤーが積層されて構成されている。
【００２８】
次に、本実施の形態１に係る画像伝送システムの処理手順を説明する。
図５は、ＰＣ１００がプロジェクタ２００にＰＣ画面を送信する際の処理動作を示すフロー図である。
【００２９】
まず、ＰＣ１００は、表示画面生成部１２２において、表示画面を生成する（Ｓ１０）。
次に、制御部１２１において、プロジェクタ２００に投影させないレイヤーがあるか否かを判断し（Ｓ１２）、投影させないレイヤーがある場合（Ｓ１２のＹｅｓ）、制御部１２１は、レイヤーキャプチャ部１２３に投影させるレイヤー（下位レイヤー）のみをキャプチャさせる指示を出力し、その指示に従ってレイヤーキャプチャ部１２３は、下位レイヤーのみをキャプチャする（Ｓ１４）。一方、投影させないレイヤーがなければ（Ｓ１２のＮｏ）、制御部１２１は、レイヤーキャプチャ部１２３に全てのレイヤーをキャプチャさせる指示を出力し、その指示に従ってレイヤーキャプチャ部１２３は、全てのレイヤーをキャプチャする（Ｓ１６）。
【００３０】
その後、レイヤーキャプチャ部１２３は、キャプチャしたレイヤーをＰＣ通信部１２４に出力し、ＰＣ通信部１２４は、取得したレイヤーを圧縮およびパケット化してプロジェクタ２００に送信し（Ｓ１８）、処理動作を終了する。
【００３１】
図６は、ＰＣ１００の表示画面とプロジェクタ２００の表示画面との違いを説明するための図である。
図６に示すように、ＰＣ１００の表示画面３０には、ランチャー３１が表示されているが、プロジェクタ２００が画面を投影しているスクリーン２０には、ランチャー３１が表示されていない。ここで、ランチャー３１とは、ＰＣ１００がプロジェクタ２００と連携（例えば、接続の確立や画面の送信指示等）するためのソフトウェアのツール表示であり、ＰＣ１００側では表示させる必要がある一方、プロジェクタ２００側では表示させる必要がないものである。そのため、ＰＣ１００からプロジェクタ２００に送信する画面では、ランチャー３１を表示させないレイヤーとしている。
【００３２】
図７に、プロジェクタ２００側で表示されないレイヤーの例を示す。
図７（ａ）には、上述したランチャー３１が拡大して示されている。図７（ｂ）には、ランチャー３１のボタンを押下することにより起動されるプロジェクタ２００への画面送信の設定を行なうためのウィンドウ３１ｂが示されている。図７（ｃ）には、ランチャー３１のボタンにマウスカーソルを移動させたときに、そのボタンのメニューを表示させるツールチップヘルプ３１ｃが示されている。これらは、全てＰＣ１００のプロジェクタ連携ソフトウェアのツール表示に関するものであり、プロジェクタ２００側に表示させる必要がないので、プロジェクタ２００側で表示されないレイヤーとなっている。なお、この場合、ＰＣ１００は、ソフトウェア単位でレイヤーの非表示を設定可能であるとし、プロジェクタ連携ソフトウェアに関するツール表示は一律プロジェクタ２００側に送信しないレイヤーと設定されているとする。
【００３３】
図８に、プロジェクタ２００側で表示されないレイヤーの別の一例を示す。
図８に示すように、ＰＣ１００側の表示画面３０には、ユーザがプレゼンテーションを行なう時に参照する台本が記述されている台本ビューワー３２が表示されているが、プロジェクタ２００が画面を投影しているスクリーン２０には、台本ビューワー３２が表示されていない。本図に示すように、ユーザがプロジェクタ２００側で表示させたくないレイヤーを設定可能とし、ＰＣ１００から非表示の設定がされているレイヤーをプロジェクタ２００に送信しないようにするとしてもよい。
【００３４】
このように本実施の形態１に係る画像伝送システムによれば、ＰＣ１００はＰＣ画面をキャプチャしてレイヤー単位でプロジェクタ２００に送信し、かつ、ＰＣ１００側で、プロジェクタ２００において表示させる必要のないレイヤーを選別するので、伝送量を少なくすることができ、ＰＣ１００およびプロジェクタ２００間の伝送路におけるトラフィックを軽減させることができる。
【００３５】
さらに、本実施の形態１に係る画像伝送システムによれば、ＰＣ１００は不要なレイヤーをプロジェクタ２００に送信しないので、プロジェクタ２００側で表示させる必要がないレイヤーを表示させることにより、本来表示すべき情報が隠されてしまうのを避けることができ、また、ユーザがプロジェクタ２００側で表示させたくないレイヤーが表示されるのを防ぐことができる。
【００３６】
（実施の形態２）
次に、本実施の形態２に係る画像伝送システムについて説明する。
【００３７】
図９は、本実施の形態２に係る画像伝送システムを構成するＰＣおよびプロジェクタの機能的な構成を示すブロック図である。
図９に示すように、ＰＣ１５０は、上記実施の形態１におけるＰＣ１００と同様に、制御部１５１、表示画面生成部１５２、レイヤーキャプチャ部１５３、ＰＣ通信部１５４および表示出力部１５５を機能的な構成要素として備えるだけでなく、入力部１５６および移動検出部１５７を機能的な構成要素として備える。また、プロジェクタ２５０は、上記実施の形態１におけるプロジェクタ２００と同様に、プロジェクタ通信部２５１と表示出力部２５２とを機能的な構成要素として備えるだけでなく、カーソル描画部２５３を機能的な構成要素として備える。
【００３８】
入力部１５は、キーボード１１１やマウス１１２等の入力装置からの操作信号を取得して制御部１５１に渡す処理部であり、ユーザＩＦ１０７によって実現される。
移動検出部１５７は、制御部１５１が取得した操作信号を受け取って、マウスカーソルの移動を検出する処理部であり、ＣＰＵ１０１やメインメモリ１０２等によって実現される。この移動検出部１５７は、マウスカーソルの移動前の座標位置と移動後の座標位置とを比較して変化があれば、マウスカーソルの移動を検出する。また、移動後の座標位置を座標移動情報としてＰＣ通信部１５４に出力する。なお、座標移動情報は、移動後の座標位置であるとしているが、移動前の座標位置との差分であってもよい。
【００３９】
そして、ＰＣ通信部１５４は、移動検出部１５７から取得した座標移動情報をパケット化してプロジェクタ２００に送信し、プロジェクタ通信部２５１は、ＰＣ１００から座標移動情報を取得すると、カーソル描画部２５３に出力する。
【００４０】
カーソル描画部２５３は、座標移動情報に基づいて移動後の座標位置にカーソルを描画する処理部であり、ＣＰＵ２０１やグラフィックスチップ２０４等によって実現される。
そして、表示出力部２５２は、カーソル描画部２５３が描画したカーソルを投影画面に重ねてスクリーン上に出力する。
【００４１】
続いて、本実施の形態２に係る画像伝送システムの処理手順を説明する。
図１０は、プロジェクタ２５０における座標移動情報を受信する際の処理動作を示すフロー図である。
【００４２】
まず、プロジェクタ２５０は、プロジェクタ通信部２５１において、レイヤーを受信する（Ｓ２０）。
【００４３】
次に、表示出力部２５２は、プロジェクタ通信部２５１から受信したレイヤーを取得して、表示出力する（Ｓ２２）。
【００４４】
ここで、プロジェクタ通信部２５１は、座標移動情報を受信すると（Ｓ２４のＹｅｓ）、カーソル描画部２５３に座標移動情報を出力する。
その後、カーソル描画部２５３は、座標移動情報に基づいて、移動後の座標位置にカーソルを描画し（Ｓ２６）、表示出力部２５２に出力する。そして、表示出力部２５２は、カーソル描画部２５３が描画したカーソルを投影画面に重ねてスクリーン上に表示させて処理動作を終了する。
【００４５】
図１１は、座標移動情報の送受信を説明するための図である。
ＰＣ１５０の表示画面５０において、マウスカーソル５１が座標（ｘ，ｙ）に移動した場合、ＰＣ１５０は、座標（ｘ，ｙ）を座標移動情報として、プロジェクタ２５０に送信する。
【００４６】
そして、プロジェクタ２５０は、座標移動情報を受信すると、座標（ｘ，ｙ）にカーソル６１を描画した画面をスクリーン６０に投影する。
このように、ＰＣ１５０側のマウスカーソルの移動があった場合に、移動後の座標位置に関する情報のみをプロジェクタ２５０に送信し、プロジェクタ２５０側で、独自にカーソルを描画して移動後の座標位置に対応する箇所に投影させるので、ＰＣ１５０とプロジェクタ２５０との通信路のトラフィックが軽減されるとともに、プロジェクタ２５０側の投影画面では、マウスカーソルの移動というＰＣ１５０側における僅かな画面変化にも迅速に応答することができるようになる。
【００４７】
ここで、プロジェクタ２５０は、ＰＣ１５０のマウスカーソル５１と同一形状のカーソル６１を描画しているが、異なる形状のカーソルを描画することとしてもよい。
【００４８】
図１２は、ＰＣ１５０側のマウスカーソルとプロジェクタ２５０側のカーソルとの形状が異なる場合を説明するための図である。
【００４９】
図１２に示すように、プロジェクタ２５０が画面を投影しているスクリーン６０において、ＰＣ１５０の表示画面５０におけるマウスカーソル５２の座標位置と同じ座標位置にカーソル６２が示されている。そして、カーソル６２は、マウスカーソル５２の形状と異なり、プレゼンテーション時に多用されるレーザーポインタによって指し示されたような円形をしている。
【００５０】
このようにすることで、レーザーによる視覚障害等の危険性をはらむレーザーポインタを使用しなくても、プレゼンテーション時に説明箇所を強調することができる。
以上説明したように、本実施の形態２に係る画像伝送システムによれば、ＰＣ１５０において、マウスカーソルの移動を検出すると、マウスカーソルの移動後の座標位置のみをプロジェクタ２５０に送信するので、ＰＣ１５０からプロジェクタ２５０への伝送負荷を低減することができる。また、プロジェクタ２５０側では、ＰＣ１５０側におけるマウスカーソルの移動という僅かな画面の変化への応答性を向上させることができる。
【００５１】
なお、ここでは、ＰＣ１５０は、マウスカーソルの移動後の座標位置のみをプロジェクタ２５０に送信し、プロジェクタ２５０側で独自にカーソルを描画するとしているが、プロジェクタ２５０との接続が確立された時点、および、マウスカーソルに形状変化があった時点で予めＰＣ１５０からマウスカーソルの形状データを送信しておき、その後は、座標移動情報のみを送信するようにしてもよい。
【００５２】
また、ＰＣ１５０は、座標移動情報だけではなく、マウスカーソルのレイヤーと座標移動情報とを常にプロジェクタ２５０へ送信するとしてもよい。このようにすれば、座標移動情報だけを送信する場合に比べて伝送量が増えることになるが、ＰＣ１５０側におけるマウスカーソルの形状変化（例えば、マウスポインタが砂時計に変化する等）にも迅速に対応することができるという利点がある。また、このようにする場合、プロジェクタ２５０側で、マウスカーソルのレイヤーを受信した後にそのレイヤーが表示可能な色数の範囲内であるか否かを判定し、必要に応じて色数を減色してカーソルを表示させるようにしてもよい。一方、ＰＣ１５０側でプロジェクタ２５０から予め表示能力に関する情報を取得しておき、マウスカーソルのレイヤーがプロジェクタ２５０の表示可能な色数を超える場合には、そのレイヤーを減色して送信するようにしてもよい。また、マウスカーソルのレイヤーがプロジェクタ２５０の表示可能な色数を超える場合には、減色したレイヤーを送信し、超えない場合には、座標移動情報のみを送信するとしてもよい。
【００５３】
また、マウスカーソルのレイヤーが、プロジェクタ２５０の表示可能な色数内に収まるときでも、カーソル描画部２５３で描画可能な色数を超える場合には、ＰＣ１５０側でマウスカーソルを他の画像のレイヤーと重ね合わせて送信し、プロジェクタ２５０側では、カーソル描画部２５３の動作を止める、すなわち、カーソル描画部２５３を介さずに、表示出力部２５２に直接出力するとし、カーソル描画部２５３で描画可能な色数を超えない場合には、座標移動情報のみを送信するとしてもよい。
【００５４】
なお、本実施の形態では、プロジェクタ２５０は、ＰＣ１５０側におけるマウスカーソルの移動後の座標位置にカーソルを描画するとしているが、プロジェクタ２５０の入力装置（例えば、プロジェクタ２５０を操作するためのリモートコントローラ等）から座標位置の指定を受け付けて、当該座標位置にカーソルを描画するようにすることもできる。
【００５５】
以上、本発明に係る画像伝送システムについて各実施の形態に基づき説明したが、本発明は、これらの実施の形態に限定されるものではない。
【００５６】
例えば、上記各実施の形態では、ＰＣとプロジェクタ間の通信は、無線ＬＡＮによるとしているが、有線ＬＡＮやＵＳＢ(Universal Serial Bus)、ＩＥＥＥ１３９４等を用いた通信であってもよいことはいうまでもない。
【００５７】
また、画像投影装置としてプロジェクタを用いて説明したが、プラズマ・ディスプレイ・パネル等の表示装置としてもよい。
【産業上の利用可能性】
【００５８】
本発明に係る画像伝送システムは、画像生成装置であるＰＣ等から画像投影装置であるプロジェクタ等に画像を伝送するシステムに適用することができ、特に、ワイヤレスプロジェクタを用いたプレゼンテーション等を行なう際に好適である。
【図面の簡単な説明】
【００５９】
【図１】実施の形態１に係る画像伝送システムの外観構成を示す図である。
【図２】画像伝送システムを構成するＰＣおよびプロジェクタのハードウェア構成を示すブロック図である。
【図３】画像伝送システムを構成するＰＣおよびプロジェクタの機能的な構成を示すブロック図である。
【図４】（ａ）は、レイヤーの構成を分離して示す図であり、（ｂ）は、実際に表示される画面のレイヤー構成を示す図である。
【図５】ＰＣからプロジェクタにＰＣ画面を送信する際の処理動作を示すフロー図である。
【図６】ＰＣの表示画面とプロジェクタの表示画面との違いを説明するための図である。
【図７】（ａ）、（ｂ）および（ｃ）は、それぞれプロジェクタ側で表示されないレイヤーの一例を示す図である。
【図８】プロジェクタ側で表示されないレイヤーの別の一例を示す図である。
【図９】実施の形態２に係る画像伝送システムを構成するＰＣおよびプロジェクタの機能的な構成を示すブロック図である。
【図１０】プロジェクタにおける座標移動情報を受信する際の処理動作を示すブロック図である。
【図１１】座標移動情報の送受信を説明するための図である。
【図１２】ＰＣ側のマウスカーソルとプロジェクタ側のカーソルとの形状が異なる場合を説明するための図である。
【符号の説明】
【００６０】
１０    無線ＬＡＮカード
２０、６０    スクリーン
３０、５０    表示画面
３１    ランチャー
３１ｂ    ウィンドウ
３１ｃ    ツールチップヘルプ
３２    台本ビューワー
５１、５２    マウスカーソル
６１、６２    カーソル
１００、１５０    ＰＣ
１０１、２０１    ＣＰＵ
１０２、２０２    メインメモリ
１０３、２０３    記憶装置
１０４、２０４    グラフィックスチップ
１０５、２０６    ＶＲＡＭ
１０６    出力ＩＦ
１０７    ユーザＩＦ
１０８、２０７    ネットワークＩＦ
１１０    ディスプレイ
１１１    キーボード
１１２    マウス
１２１、１５１    制御部
１２２、１５２    表示画面生成部
１２３、１５３    レイヤーキャプチャ部
１２３ａ    上位レイヤー
１２３ｂ    下位レイヤー
１２３ｃ    表示レイヤー
１２４、１５４    ＰＣ通信部
１２５、１５５、２２２、２５２    表示出力部
１５６    入力部
１５７    移動検出部
２００、２５０    プロジェクタ
２０５    リサイズＬＳＩ
２０８    出力装置
２２１、２５１    プロジェクタ通信部
２５３    カーソル描画部
【図１】
2005257948.tif 000003
【図２】
2005257948.tif 000004
【図３】
2005257948.tif 000005
【図４】
2005257948.tif 000006
【図５】
2005257948.tif 000007
【図６】
2005257948.tif 000008
【図７】
2005257948.tif 000009
【図８】
2005257948.tif 000010
【図９】
2005257948.tif 000011
【図１０】
2005257948.tif 000012
【図１１】
2005257948.tif 000013
【図１２】
2005257948.tif 000014